(57)【要約】      （修正有）【課題】簡単に栽培でき、化学肥料及び農薬を使わない魚と野菜とミミズの共生システムの有機養殖栽培装置を提供する。【解決手段】魚と野菜とミミズの共生システムの有機養殖栽培装置は、魚を養殖するための養殖ユニット１０と、野菜を栽培するための栽培ユニット２０と、ミミズを養殖するための培養ユニット３０とを有し、養殖ユニットと栽培ユニットとの間に灌漑ユニット４０及び水回収ユニット５０が設けられ、培養ユニットに堆肥部３０１、繁殖部３０２、濾過部３０３及び開放部３０４が設けられ、開放部が養殖ユニットの水の中に位置され、培養ユニットで養殖するミミズが魚のエサにされ、培養ユニットから生産された有機肥料が灌漑ユニットで野菜の栽培のために栽培ユニットに使われ、養殖ユニットと栽培ユニットと培養ユニットとの配合で食物連鎖のような共生システムが形成される。【選択図】図１
0003206994.tif 000002
【実用新案登録請求の範囲】
【請求項１】
少なくとも一つの養殖ユニットと、少なくとも一つの栽培ユニットと、少なくとも一つの培養ユニットとを有する有機養殖栽培装置であり、
当該養殖ユニットに少なくとも魚が養殖され、
当該栽培ユニットに少なくとも野菜が栽培され、
当該培養ユニットにミミズが養殖され、
当該養殖ユニットと当該栽培ユニットとの間に少なくとも一つの灌漑ユニットが設けられ、当該灌漑ユニットで当該養殖ユニット内の水が当該栽培ユニットに輸送されるようになり、
当該栽培ユニットと当該養殖ユニットとの間に、さらに少なくとも一つの水回収ユニットが設けられ、当該水回収ユニットで当該栽培ユニットを経る当該水が当該養殖ユニットに戻るようになり、
当該培養ユニットの内部に上から下までに堆肥部、繁殖部、濾過部及び開放部が順次に設けられ、当該堆肥部に当該野菜を処理した後の生ごみが収容され、当該繁殖部に培養材及び当該ミミズが収容され、当該濾過部で無機肥料である物質を濾過するようになり、当該ミミズで当該生ごみが分解されて形成される有機肥料が当該開放部で当該養殖ユニットの当該水に入るようになり、そして当該培養ユニットの当該開放部が当該養殖ユニットの当該水の中に位置されることで、当該濾過部が当該水の中に浸されるようになり、
当該培養ユニットで養殖する当該ミミズが当該魚のエサにされるようになり、当該培養ユニットから生産された当該有機肥料が当該水に入った後に当該灌漑ユニットで当該野菜の栽培のために当該栽培ユニットに使われ、上述のした当該養殖ユニットと当該栽培ユニットと当該培養ユニットとの配合で食物連鎖のような共生システムが形成されることを特徴とする魚と野菜とミミズの共生システムの有機養殖栽培装置。
【請求項２】
前記灌漑ユニットは前記養殖ユニットと前記栽培ユニットとを連通させるための少なくとも一つの灌漑配管と、当該養殖ユニットと当該灌漑配管との間に設けられる少なくとも一つの灌漑ポンプとを有することを特徴とする請求項1に記載の魚と野菜とミミズの共生システムの有機養殖栽培装置。
【請求項３】
前記水回収ユニットは前記養殖ユニットと前記栽培ユニットとを連通させるための少なくとも一つの回収装置を有することを特徴とする請求項1に記載の魚と野菜とミミズの共生システムの有機養殖栽培装置。
【請求項４】
前記栽培ユニットは、水耕栽培装置、又は土耕栽培装置のうちの一つであることを特徴とする請求項1に記載の魚と野菜とミミズの共生システムの有機養殖栽培装置。
【請求項５】
前記有機養殖栽培装置は排泄物収集ユニットを有し、当該排泄物収集ユニットが前記養殖ユニットと前記培養ユニットとの間に設けられ、前記魚の排泄物を前記ミミズに食べさせるために収集して前記堆肥部に輸送するようになることを特徴とする請求項1に記載の魚と野菜とミミズの共生システムの有機養殖栽培装置。
【請求項６】
前記排泄物収集ユニットは前記養殖ユニットと前記培養ユニットとを連通させるための少なくとも一つの集中配管と、当該養殖ユニットと当該集中配管との間に設けられる少なくとも一つの集中用ポンプとを有することを特徴とする請求項5に記載の魚と野菜とミミズの共生システムの有機養殖栽培装置。
【請求項７】
前記培養ユニットに排泄物集中部が設けられ、当該排泄物集中部の底部は濾過部を有し、前記集中配管から排出される水が当該濾過部で濾過され、当該水の中の排泄物が当該濾過部に積まれるようになることを特徴とする請求項6に記載の魚と野菜とミミズの共生システムの有機養殖栽培装置。
【請求項８】
前記有機養殖栽培装置が温室内に設けられ、当該温室内にさらに環境制御装置が設けられ、当該環境制御装置は陽光を代わって前記栽培ユニットの光合成をさせる少なくとも一つのLED照明装置と、当該温室内の温度を制御する少なくとも一つの環境温度制御装置とを有することを特徴とする請求項1に記載の魚と野菜とミミズの共生システムの有機養殖栽培装置。
【請求項９】
前記環境温度制御装置は前記温室内に設けられる室内機と、当該温室外に設けられて当該室内機と空調配管で連接される室外機とを有し、当該室外機で産生される復水が輸送管で養殖ユニットに流れ、魚の成長のために使われることを特徴とする請求項8に記載の魚と野菜とミミズの共生システムの有機養殖栽培装置。
【考案の詳細な説明】
【技術分野】
【０００１】
本考案は、魚と野菜とミミズの共生システムの有機養殖栽培装置を関し、特に各場合にも適用し、食物連鎖の理を運用し、農薬及び化学肥料を使わない魚と野菜とミミズの共生システムの有機養殖栽培装置に関するものである。
【背景技術】
【０００２】
社会の発展及び世界の人口が急遽増えることと伴に、食糧の需要量が高まり、食糧の生産量を増加するために、化学肥料、農薬及び遺伝子組み換え技術が大量に使われたが、生態系のバランスが崩し、農作物の持ち味が失くすようになるので、世界中に人々は有機農業を提唱し始める。
【０００３】
有機農業は生態系及び人の健康を維持でき、生物多様性及び地元の生態系を従って悪い影響があるものも使わないような生産システムであり、そして有機農業は伝統的農業、新たな考え方及び科学技術から出る産物であり、さらにカーボンニュートラルの効果があり、有効に環境を保護することができる。
【０００４】
ですが、養殖栽培を行うことができる土地は有限であり、人口増加、食の安全問題が多発するようになる今、どうやって有機農産物を生産するのは課題になる。
【考案の概要】
【考案が解決しようとする課題】
【０００５】
そこで、上述した問題を解決し、有機農産物を普遍化するようになり、容易に応用でき、環境に優しい有機養殖栽培装置を提供することを目的とする。
【課題を解決するための手段】
【０００６】
本考案は自然の理に従い、簡単に栽培でき、化学肥料及び農薬を使わない魚と野菜とミミズの共生システムの有機養殖栽培装置を提供することを目的とする。現在、魚と野菜の共生システムの技術があったが、魚と野菜とミミズの共生システムの有機養殖栽培方法及びその装置が発表されなく、故に本考案はと野菜とミミズの共生システムの有機養殖栽培方法及びその装置についてさらに検討することである。
【０００７】
前記問題点を解決でき、上記目的を達成するために、本考案の魚と野菜とミミズの共生システムの有機養殖栽培装置は、少なくとも一つの養殖ユニットと、少なくとも一つの栽培ユニットと、少なくとも一つの培養ユニットとを有する有機養殖栽培装置であり、当該養殖ユニットに少なくとも魚が養殖され、当該栽培ユニットに少なくとも野菜が栽培され、当該培養ユニットにミミズが養殖され、当該養殖ユニットと当該栽培ユニットとの間に少なくとも一つの灌漑ユニットが設けられ、当該灌漑ユニットで当該養殖ユニット内の水が当該栽培ユニットに輸送されるようになり、当該栽培ユニットと当該養殖ユニットとの間に、さらに少なくとも一つの水回収ユニットが設けられ、当該水回収ユニットで当該栽培ユニットを経る当該水が当該養殖ユニットに戻るようになり、当該培養ユニットの内部に上から下までに堆肥部、繁殖部、濾過部及び開放部が順次に設けられ、当該堆肥部に当該野菜を処理した後の生ごみが収容され、当該繁殖部に培養材及び当該ミミズが収容され、当該濾過部で無機肥料である物質を濾過するようになり、当該ミミズで当該生ごみが分解されて形成される有機肥料が当該開放部で当該養殖ユニットの当該水に入るようになり、そして当該培養ユニットの当該開放部が当該養殖ユニットの当該水の中に位置されることで、当該濾過部が当該水の中に浸されるようになり、当該培養ユニットで養殖する当該ミミズが当該魚のエサにされるようになり、当該培養ユニットから生産された当該有機肥料が当該水に入った後に当該灌漑ユニットで当該野菜の栽培のために当該栽培ユニットに使われ、上述のした当該養殖ユニットと当該栽培ユニットと当該培養ユニットとの配合で食物連鎖のような共生システムが形成される。
【０００８】
前記灌漑ユニットは前記養殖ユニットと前記栽培ユニットとを連通させるための少なくとも一つの灌漑配管と、当該養殖ユニットと当該灌漑配管との間に設けられる少なくとも一つの灌漑ポンプとを有することが好ましい。
【０００９】
前記水回収ユニットは前記養殖ユニットと前記栽培ユニットとを連通させるための少なくとも一つの回収装置を有することが好ましい。
【００１０】
前記栽培ユニットは、水耕栽培装置、又は土耕栽培装置のうちの一つであることが好ましい。
【００１１】
前記有機養殖栽培装置は排泄物収集ユニットを有し、当該排泄物収集ユニットが前記養殖ユニットと前記培養ユニットとの間に設けられ、前記魚の排泄物を前記ミミズに食べさせるために収集して前記堆肥部に輸送するようになることが好ましい。
【００１２】
前記排泄物収集ユニットは前記養殖ユニットと前記培養ユニットとを連通させるための少なくとも一つの集中配管と、当該養殖ユニットと当該集中配管との間に設けられる少なくとも一つの集中用ポンプとを有することが好ましい。
【００１３】
前記培養ユニットに排泄物集中部が設けられ、当該排泄物集中部の底部は濾過部を有し、前記集中配管から排出される水が当該濾過部で濾過され、当該水の中の排泄物が当該濾過部に積まれるようになることが好ましい。
【００１４】
前記有機養殖栽培装置が温室内に設けられ、当該温室内にさらに環境制御装置が設けられ、当該環境制御装置は陽光を代わって前記栽培ユニットの光合成をさせる少なくとも一つのLED照明装置と、当該温室内の温度を制御する少なくとも一つの環境温度制御装置とを有することが好ましい。
【００１５】
前記環境温度制御装置は前記温室内に設けられる室内機と、当該温室外に設けられて当該室内機と空調配管で連接される室外機とを有し、当該室外機で産生される復水が輸送管で養殖ユニットに流れ、魚の成長のために使われることが好ましい。
【考案の効果】
【００１６】
本考案は、従来の技術と比べて、次に列挙する効果がある。
【００１７】
1. 本考案は、食物連鎖の理を応用し、養殖ユニットで魚を養殖し、栽培ユニットで野菜を栽培し、培養ユニットでミミズを養殖し、養分としての魚の排泄物及び養殖ユニット内の水で野菜を栽培するようになり、そして野菜で栽培ユニット内の水が濾過され、濾過された水が養殖ユニットに流れて再使用され、上述した野菜で産生する生ごみ或いは魚の排泄物がミミズの食物とされ、ミミズで分解された後に有機肥料になり、魚及び野菜の成長には有利であり、好循環に形成され、新たな水を注入する必要がなくて魚、野菜及びミミズが共生でき、有機的なシステムが達成される。
【００１８】
2. 栽培ユニットは水耕栽培装置でも土耕栽培装置でも、使用者の需要によって変更でき、容易に野菜を栽培することができる。
【００１９】
3. 排泄物収集ユニットの応用で、魚の排泄物を素早くて容易に収集して培養ユニットに供給することができ、ミミズは排泄物及び野菜からの生ごみを分解することで有機肥料が産生され、こうして、水の中にある排泄物が多すぎて水質は不安定になることが解決でき、さらに野菜の成長のための有機肥料の生産量が高まり、養殖ユニットの清潔を持ちにくいことも解決できる。
【００２０】
4. 本考案の有機養殖栽培装置を温室内に使うことができ、環境制御装置の応用で、LED照明装置によって充分な光が提供され、環境温度制御装置で安定な環境温度が提供され、魚、野菜及びミミズは順調に成長して共生するようになる。また、環境温度制御装置から産生される復水が輸送管で養殖ユニットに流れ、魚の成長のために使われる。
【図面の簡単な説明】
【００２１】
【図１】：本考案が水耕栽培で実施される状態を示す図
【図２】：本考案が水耕栽培で実施される状態を示す図
【図３】：本考案が土耕栽培で実施される状態を示す図
【図４】：本考案が土耕栽培で実施される状態を示す図
【図５】：本考案が温室内に水耕栽培で実施される状態を示す図
【図６】：本考案が温室内に土耕栽培で実施される状態を示す図
【考案を実施するための形態】
【００２２】
以下、本考案の実施の形態について、図面を参照して詳細に説明する。
【００２３】
図1乃至図2に示すように、本考案の魚と野菜とミミズの共生システムの有機養殖栽培装置は、少なくとも一つの養殖ユニット10と、少なくとも一つの栽培ユニット20と、少なくとも一つの培養ユニット30とを有する有機養殖栽培装置100であり、当該養殖ユニット10に少なくとも魚1が養殖され、当該栽培ユニット20に少なくとも野菜2が栽培され、当該培養ユニット30にミミズ3が養殖され、当該養殖ユニット10と当該栽培ユニット20との間に少なくとも一つの灌漑ユニット40が設けられ、当該灌漑ユニット40で当該養殖ユニット10内の水101が当該栽培ユニット20に輸送されるようになり、当該栽培ユニット20と当該養殖ユニット10との間に、さらに少なくとも一つの水回収ユニット50が設けられ、当該水回収ユニット50で当該栽培ユニット20を経る当該水101が当該養殖ユニット10に戻るようになり、当該培養ユニット30の内部に上から下までに堆肥部301、繁殖部302、濾過部303及び開放部304が順次に設けられ、当該堆肥部301に当該野菜2を処理した後の生ごみ21が収容され、当該繁殖部302に培養材及び当該ミミズ3が収容され、当該濾過部303で無機肥料である物質を濾過するようになり、当該ミミズ3で当該生ごみ21が分解されて形成される有機肥料aが当該開放部304で当該養殖ユニット10の当該水101に入るようになり、そして当該培養ユニット30の当該開放部304が当該養殖ユニット10の当該水101の中に位置されることで、当該濾過部303が当該水101の中に浸されるようになり、当該培養ユニット30で養殖する当該ミミズ3が当該魚1のエサにされるようになり、当該培養ユニット30から生産された当該有機肥料aが当該水101に入った後に当該灌漑ユニット40で当該野菜2の栽培のために当該栽培ユニット20に使われ、上述のした当該養殖ユニット10と当該栽培ユニット20と当該培養ユニット30との配合で食物連鎖のような共生システムが形成される。
【００２４】
前記養殖ユニット10に少なくとも魚が養殖され、同時にエビ或いは貝類などを養殖することもでき、それらから産生された前記排泄物11、例えば魚の糞に、窒素、アンモニアなどの成分が含まれ、もし直接に川、土壌に排出したら、環境に悪い影響があり、前記灌漑ユニット40でこの水を前記栽培ユニット20に流れさせるようにすれば野菜2の養分とするようになり、そして前記野菜2が窒素、アンモニアなどの成分を吸収して当該栽培ユニット20内の水を浄化することができ、それから前記水回収ユニット50で前記水101が当該養殖ユニット10に流れることで水の再使用ができ、このようなシステムは、水質の悪化を避けることができ、且つ魚と野菜との好循環が形成され、水をかけるや取り換える必要がない。
【００２５】
また、食物連鎖の理を運用し、前記ミミズ3を上述した循環に入れ、前記野菜2を処理した後の要らない部分が前記生ごみ21として当該ミミズ3の食物になり、当該ミミズ3で分解した後に前記有機肥料aが産生されて水に入れ、前記灌漑ユニット40で前記栽培ユニット20の当該野菜2の養分として供給されるようになり、そして、前記培養ユニット30の前記繁殖部302で繁殖された余分な当該ミミズ3を前記魚1のエサとされ、当該魚1に食わせて成長し、こうして、魚と野菜とミミズが共生でき、簡単に養殖及び栽培することができ、且つ化学肥料及び農薬が一切使わなく、完全に有機農業の標準で行うようにする。
【００２６】
なお、上述した野菜の前記生ごみ21以外に、家庭から出る不要な果物の皮、雑穀、おから、木くず、或いは他の天然性有機廃棄物で供給してもよい、前記ミミズ3は自然のスカベンジャーであるからだ。
【００２７】
前記灌漑ユニット40は前記養殖ユニット10と前記栽培ユニット20とを連通させるための少なくとも一つの灌漑配管401と、当該養殖ユニット10と当該灌漑配管401との間に設けられる少なくとも一つの灌漑ポンプ402とを有する。当該灌漑配管401は輸送管或いは蛇管のうちの一つであり、輸送管は硬質管であり、蛇管は軟質管である。
【００２８】
前記灌漑配管401の応用で、前記養殖ユニット10内の前記水101が前記灌漑ポンプ402で抜き取られて灌漑するために再び前記栽培ユニット20に流れるようにされ、当該栽培ユニット20内の前記野菜2はずっと養分をもらえるようになる。
【００２９】
前記水回収ユニット50は前記養殖ユニット10と前記栽培ユニット20とを連通させるための少なくとも一つの回収装置501を有する。
【００３０】
また、前記回収装置501応用で、前記野菜2で浄化された前記水101が前記養殖ユニット10に流れることで、水を取り換える必要がなく、さらに節水も達成される。
【００３１】
前記有機養殖栽培装置100は排泄物収集ユニット60を有し、当該排泄物収集ユニット60が前記養殖ユニット10と前記培養ユニット30との間に設けられ、前記魚1の排泄物11を前記ミミズ3に食べさせるために収集して前記堆肥部301に輸送するようになり、当該ミミズ3はそれを分解した後に有機肥料aが産生され、こうして前記水101の中の排泄物が多すぎて水質は不安定になること及び清潔を持ちにくいことが解決される。
【００３２】
前記培養ユニット30に排泄物集中部305が設けられ、当該排泄物集中部305の底部は濾過部306を有し、前記集中配管601から排出される水101が当該濾過部306で濾過され、前記魚1の排泄物11が当該濾過部306に積まれるようになる。
【００３３】
前記排泄物収集ユニット60は前記養殖ユニット10と前記培養ユニット30とを連通させるための少なくとも一つの集中配管601と、当該養殖ユニット10と当該集中配管601との間に設けられる少なくとも一つの集中用ポンプ602とを有する。
【００３４】
その中に、前記集中配管601は素早くて前記養殖ユニット10内の排泄物11を集中し、前記集中用ポンプ602で、当該排泄物11を前記排泄物集中部305に輸送し、前記濾過部306で前記魚1の当該排泄物11を収集し、収集は完了しました後に当該排泄物11を前記堆肥部301に入れて、前記ミミズ3に分解させるようにし、こうして、当該排泄物11を解決することと共に、当該ミミズ3の成長にも有利であり、同時に前記有機肥料aの生産量が高まり、前記魚1と前記野菜2が順調に成長するようになる。
【００３５】
図3乃至図4に示すように、前記栽培ユニット20は上述した水耕栽培装置201である以外に、図面に示すような土耕栽培装置202で実施することもでき、それは培養土203で前記野菜2を栽培することであり、そして前記灌漑配管401が適当的な高さで当該土耕栽培装置202の上に横向きに設けられることで、当該野菜2への灌漑が有利になる。
【００３６】
図5乃至図6に示すように、前記有機養殖栽培装置100が水耕栽培でも土耕栽培でも、温室80内に設けられ、当該温室80内にさらに環境制御装置70が設けられ、当該環境制御装置70は陽光を代わって前記栽培ユニット20の光合成をさせるための少なくとも一つのLED照明装置701と、当該温室80内の温度を制御する少なくとも一つの環境温度制御装置702とを有する。
【００３７】
前記LED照明装置701が前記栽培ユニット20の上に設けられ、前記野菜2は光合成を行うように充分な光が提供され、前記環境温度制御装置702は前記温室80内に設けられる室内機7021と、当該温室80外に設けられて当該室内機7021と空調配管で連接される室外機7022とを有し、当該室外機7022は圧縮機と凝縮器と排熱ファンとを有し、当該室外機7022で産生される復水が輸送管7023で養殖ユニット10に流れ、魚1の成長のために使われ、水がなくなることを心配する必要がない。
【００３８】
前記環境制御装置70の応用で、室内の養殖栽培を行うことができ、前記魚1、前記野菜2及び前記ミミズ3は安定な温度で順調に成長するようになり、前記有機養殖栽培装置100が作動し続けるようになり、天候の影響を心配せずに養殖栽培の効率が安定になる。
【００３９】
以上の実施の形態は、本考案の構造と、特徴及び作用効果を説明するために用いられるものであり、それを以って、本考案の実用新案登録請求の範囲が制限されることは無く、本考案の思想を逸脱することなく種々の改造やそれと同じ置き換えを行っても、それはすべて本考案の範囲に含まれるものである。
【符号の説明】
【００４０】
1     魚                         40    灌漑ユニット
2     野菜                       401   灌漑配管
3     ミミズ                     402   灌漑ポンプ
10    養殖ユニット               50    水回収ユニット
20    栽培ユニット               501   回収装置
201   水耕栽培装置               60    排泄物収集ユニット
202   土耕栽培装置               601   集中配管
30    培養ユニット               602   集中用ポンプ
301   堆肥部                     70    環境制御装置
302   繁殖部                     701   LED照明装置
303   濾過部                     702   環境温度制御装置
304   開放部                     7021  室内機
305   排泄物集中部               7022  室外機
306   濾過層                     7023  輸送管
21    生ごみ                     a     有機肥料
80    温室                       11    排泄物
101   水                         203   培養土
100   有機養殖栽培装置
【図１】
0003206994.tif 000003
【図２】
0003206994.tif 000004
【図３】
0003206994.tif 000005
【図４】
0003206994.tif 000006
【図５】
0003206994.tif 000007
【図６】
0003206994.tif 000008